(57)【要約】【課題】各ゴルフプレーヤのプレー位置からピンへの正確なアプローチ情報をリアルタイムで提供可能なゴルフコースデータ提供システムを提案すること。【解決手段】ゴルフコースデータ提供システム１は、データ提供装置２と、プレーヤに所持させるためのＰＤＡ３とを有し、ＰＤＡ３には、日単位では変化しない第１のゴルフコースデータＡが登録されており、日単位で変化する第２のゴルフコースデータＢは毎朝、プレーヤに貸し出される前に更新登録されており、時々刻々変化する第３のゴルフコースデータＣはプレー中に無線通信によりデータ提供装置２の側からダウンロード可能である。ＰＤＡ３により検出された位置情報に基づき、プレーヤの位置からゴルフコースのピンへのアプローチ情報（バンカー位置、池位置、ピンまでの距離など）をリアルタイムで表示できる。【選択図】　　　図１
2004113440.tif 000002
【特許請求の範囲】
【請求項１】
ゴルフプレーヤに所持させるためのＰＤＡと、
前記ＰＤＡにデータを提供するデータ提供装置とを有し、
前記データ提供装置は、
ゴルフコースデータが記憶保持されているデータベースと、
前記ＰＤＡとの間で通信を行うための通信部と、
前記データベースの内容を更新するための更新部とを備えており、
前記ＰＤＡは、
前記データ提供装置との間で通信を行うデータ通信部と、
前記ゴルフコースデータのうち、日単位などの所定期間単位では変動しない第１のゴルフコースデータが記憶保持された第１の記憶部と、
前記データ提供装置から前記データ通信部を介して受信した、前記ゴルフコースデータのうちの日単位などの所定期間単位で変動する第２のゴルフコースデータを記憶保持する第２の記憶部と、
ＧＰＳを利用して当該ＰＤＡの位置を検出する位置検出部と、
入力部と、
データ表示器と、
前記入力部から入力される指示に基づき、前記第１および前記第２のゴルフコースデータに含まれている少なくとも一つのデータを、前記位置検出部によって検出された位置データと共に前記データ表示器に表示する制御部とを備えていることを特徴とするゴルフコースデータ提供システム。
【請求項２】
請求項１において、
前記データベースには、少なくとも次のデータが登録されていることを特徴とするゴルフコースデータ提供システム。
（ａ）各ホールのコース全体図
（ｂ）各ホールのバンカー位置
（ｃ）各ホールの池位置
（ｄ）各ホールのＯＢ位置
（ｅ）各ホールのピン穴位置
（ｆ）各ホールのティーアップ位置
【請求項３】
請求項１または２において、
前記第１のゴルフコースデータは少なくとも
（ａ）各ホールのコース全体図
（ｂ）各ホールのバンカー位置
（ｃ）各ホールの池位置
（ｄ）各ホールのＯＢ位置
を含んでおり、
前記第２のゴルフコースデータは少なくとも
（ｅ）各ホールのピン穴位置
（ｆ）各ホールのティーアップ位置
を含んでいることを特徴とするゴルフコースデータ提供システム。
【請求項４】
請求項３において、
前記制御部は、前記入力部から前記（ａ）〜（ｆ）のうちいずれか一つのデータ表示要求が入力されると、前記コース全体図の上に要求データのみを異なる形態で表示するための画像データを生成して、当該画像データを前記データ表示器に表示させることを特徴とするゴルフコースデータ提供システム。
【請求項５】
請求項４において、
前記制御部は、前記入力部から拡大表示要求が入力されると、前記ＰＤＡの位置を中心として前記画像データの拡大画像データを前記データ表示器に表示させることを特徴とするゴルフコースデータ提供システム。
【請求項６】
請求項４または５において、
前記画像データには、前記ＰＤＡの位置から当該ＰＤＡが位置しているホールのピン穴までの距離および／または方向が含まれていることを特徴とするゴルフコースデータ提供システム。
【請求項７】
請求項４、５または６において、
前記画像データには、前記ＰＤＡの位置から当該ＰＤＡが位置しているホールのピン穴までの方向と、バンカーおよび／または池までの方向とのなす角度が含まれていることを特徴とするゴルフコースデータ提供システム。
【請求項８】
請求項４、５、６または７において、
前記画像データには、前記ＰＤＡがグリーン上に位置している場合には、当該位置からピンまでがフックラインおよびスライスラインのいずれであるかなどを含むアプローチ方法に関する情報が含まれていることを特徴とするゴルフコースデータ提供システム。
【請求項９】
請求項３ないし８のうちのいずれかの項において、
前記ゴルフコースデータには、時々刻々変化する第３のゴルフコースデータが含まれており、
この第３のゴルフコースデータには、少なくとも、
（ｇ）各ホールの風向き
（ｈ）落雷情報
が含まれており、
前記ＰＤＡの前記入力部から前記第３のゴルフコースデータに含まれるデータの表示要求があると、前記制御部は、前記データ通信部を介して前記データ提供装置にアクセスして、要求データを受信して、前記データ表示器に表示させることを特徴とするゴルフコースデータ提供システム。
【請求項１０】
請求項１ないし９のうちのいずれかの項に記載のゴルフコース提供システムに用いるゴルフデータ表示用の前記ＰＤＡ。
【発明の詳細な説明】
【０００１】
【発明の属する技術分野】
本発明は、ＰＤＡ（携帯情報端末）を利用して、ゴルフコース上においてプレーヤの実際の位置からピンまでのアプローチ情報をリアルタイムで入手可能なゴルフコースデータ提供システムに関するものである。
【０００２】
【従来の技術】
ゴルフのプレーヤは、ゴルフコース上においてキャディからアプローチの方向やピンまでの距離、池やバンカーの位置、あるいはＯＢ位置などを聞きながらプレーをしているのが一般的である。しかしながら、プレーヤによっては自分でアプローチの方向や方法、ピンまでの距離などを判断してプレーを行うことを希望する場合がある。また、キャディが付かない場合のプレーでは、プレーヤがアプローチの方向や距離を判断せざるを得ない。一方、キャディは木立や杭などを目印にしてピンまでの距離などを目測しているので、常に正確に距離を目測できるわけではない。特に、ティーの位置においてグリーン上などの風向きを判断することは容易でない。
【０００３】
そこで、例えば、ゴルフカートの走行を管理しているゴルフ場管理システムを利用して、ゴルフコースの地形図や風向きなどの情報を、ゴルフカートに送信して、各プレーヤに提供することが考えられる。ゴルフカートを利用して情報の伝送を行うシステムは例えば次の特許文献に開示されている。
【０００４】
【特許文献】
特開平６−３３５５４６号公報
【０００５】
【発明が解決しようとする課題】
しかしながら、ゴルフカートを利用してゴルフコースに関する情報を各プレーヤに伝送する方法では、次のような問題点がある。
【０００６】
まず、ゴルフカートの位置に基づきプレーヤがいずれのホールでプレーしているのかは判断できるが、ゴルフカートと各プレーヤの位置とは離れている場合が殆どである。このため、各プレーヤの位置を正確に検出できないので、各プレーヤからピン位置までの距離を個別に各プレーヤに知らせることができない。また、各プレーヤからピン位置までの方向や、その方向の上空における風向きなどのアプローチ情報も各プレーヤに提供することができない。
【０００７】
また、ゴルフカートの走行路は、グリーンから外れた位置に沿って形成されているので、各プレーヤがプレー毎にゴルフカートまで行き、そこに搭載されている情報受信装置の画面を確認することは面倒であり、また、リアルタイムで各プレーヤのアプローチ情報を提供することができない。
【０００８】
本発明の課題は、このような点に鑑みて、ＰＤＡを利用して、ゴルフコース上においてプレーヤの実際の位置からピンまでのアプローチ情報をリアルタイムで各プレーヤに提供可能なゴルフコースデータ提供システム、および当該システムに用いるゴルフデータ表示用ＰＤＡを提案することにある。
【０００９】
【課題を解決するための手段】
上記の課題を解決するために、本発明のゴルフコースデータ提供システムは、
ゴルフプレーヤに所持させるためのＰＤＡと、
前記ＰＤＡにデータを提供するデータ提供装置とを有し、
前記データ提供装置は、
ゴルフコースデータが記憶保持されているデータベースと、
前記ＰＤＡとの間で通信を行うための通信部と、
前記データベースの内容を更新するための更新部とを備えており、
前記ＰＤＡは、
前記データ提供装置との間で通信を行うデータ通信部と、
前記ゴルフコースデータのうち、日単位などの所定期間単位では変動しない第１のゴルフコースデータが記憶保持された第１の記憶部と、
前記データ提供装置から前記データ通信部を介して受信した、前記ゴルフコースデータのうちの日単位などの所定期間単位で変動する第２のゴルフコースデータを記憶保持する第２の記憶部と、
ＧＰＳを利用して当該ＰＤＡの位置を検出する位置検出部と、
入力部と、
データ表示器と、
前記入力部から入力される指示に基づき、前記第１および前記第２のゴルフコースデータに含まれている少なくとも一つのデータを、前記位置検出部によって検出された位置データと共に前記データ表示器に表示する制御部とを備えていることを特徴としている。
【００１０】
ここで、前記データベースには、少なくとも次のデータを登録しておけばよい。
（ａ）各ホールのコース全体図
（ｂ）各ホールのバンカー位置
（ｃ）各ホールの池位置
（ｄ）各ホールのＯＢ位置
（ｅ）各ホールのピン穴位置
（ｆ）各ホールのティーアップ位置
【００１１】
この場合、前記第１のゴルフコースデータは
（ａ）各ホールのコース全体図
（ｂ）各ホールのバンカー位置
（ｃ）各ホールの池位置
（ｄ）各ホールのＯＢ位置
である。また、前記第２のゴルフコースデータは
（ｅ）各ホールのピン穴位置
（ｆ）各ホールのティーアップ位置
である。
【００１２】
本発明のＰＤＡを用いたゴルフコースデータ提供システムにおいては、ＰＤＡを所持している各ゴルフプレーヤの位置がＰＤＡのデータ表示器の画面上に表示されると共にバンカー位置や池位置などの知りたいデータが表示される。従って、各ゴルフプレーヤは、画面を見ながらアプローチの方法などを検討できる。また、ＰＤＡにはコース全体図などの変動しないデータが予め登録されており、日々変動するピン穴位置やティーアップ位置のみをデータ提供装置の側からＰＤＡにダウンロードすればよいので、全ゴルフコースデータをデータ提供装置の側から受信するシステムなどと比較して、データ受信のための通信時間を短くできるので、迅速に、要求データを表示可能である。
【００１３】
ここで、本発明においては、前記制御部は、前記入力部から前記（ａ）〜（ｆ）のうちいずれか一つのデータ表示要求が入力されると、前記コース全体図の上に要求データのみを異なる形態で表示するための画像データを生成して、当該画像データを前記データ表示器に表示させるようにすることが望ましい。例えば、表示要求が出されたデータを点滅表示や異なる色で表示すれば、視認性が高まる。
【００１４】
また、前記制御部は、前記入力部から拡大表示要求が入力されると、前記ＰＤＡの位置を中心として前記画像データの拡大画像データを前記データ表示器に表示させるようにすることが望ましい。
【００１５】
さらに、拡大画像データを表示した状態などにおいて、前記ＰＤＡの位置から当該ＰＤＡが位置しているホールのピン穴までの距離および／または方向を表示すれば、ゴルフプレーヤによって極めて便利である。
【００１６】
同様に、前記ＰＤＡの位置から当該ＰＤＡが位置しているホールのピン穴までの方向と、バンカーおよび／または池までの方向とのなす角度を表示することが望ましい。
【００１７】
さらには、前記ＰＤＡがグリーン上に位置している場合には、換言すると、ゴルフプレーヤがグリーン上に位置している場合には、当該位置からピンまでがフックラインおよびスライスラインのいずれであるかなどを含むアプローチ方法に関する情報を表示することが望ましい。
【００１８】
次に、本発明において、前記ゴルフコースデータとして、時々刻々変化する
（ｇ）各ホールの風向き
（ｈ）落雷情報
などの第３のゴルフコースデータを用意し、
前記ＰＤＡの前記入力部から前記第３のゴルフコースデータに含まれるデータの表示要求があると、前記制御部は、前記データ通信部を介して前記データ提供装置にアクセスして、要求データを受信して、前記データ表示器に表示させるようにすることが望ましい。
【００１９】
一方、本発明はゴルフコースデータ提供システムに用いるゴルフデータ表示用ＰＤＡに関するものであり、本発明のゴルフデータ表示用ＰＤＡは上記構成となっていることを特徴としている。
【００２０】
【発明の実施の形態】
以下に、図面を参照して本発明を適用したゴルフコースデータ提供システムの実施の形態を説明する。
【００２１】
（全体構成）
図１は、本実施の形態に係るゴルフコースデータ提供システムを示す全体構成図である。ゴルフコースデータ提供システム１は、ゴルフ場の管理施設に設置されているコンピュータシステムから構成されているデータ提供装置２と、各ゴルフプレーヤに貸し出される複数台のＰＤＡ３（３（１）、３（２）、３（３）・・・）とから構成されている。
【００２２】
データ提供装置２は、ゴルフ場の各ホールのコースデータが登録されているデータベース２１と管理サーバ２２とを備えている。管理サーバ２２は、各ＰＤＡ３との間でデータの送受信を行う通信部２３と、キーボードやタッチパネル方式などの入力部２４と、液晶表示器やプリンタなどの出力部２５と、入力部２４からの入力データに基づき、データベース２１の登録内容を編集および更新する編集・更新部２６と、各部の駆動制御を司る制御部２７とを備えている。
【００２３】
上記のデータベース２１には各ホール毎に次の情報が登録されている。
（ａ）各ホールのコース全体図
（ｂ）各ホールのバンカー位置
（ｃ）各ホールの池位置
（ｄ）各ホールのＯＢ位置
（ｅ）各ホールのピン穴位置
（ｆ）各ホールのティアップ位置
（ｇ）各ホールの風向き
（ｈ）落雷情報などの気象情報
【００２４】
本例のデータベース２１においては、これらのデータのうち、（ａ）〜（ｄ）は日単位では変動しないものであり、第１のゴルフコースデータＡとして分類されている。データ（ｅ）および（ｆ）は基本的に毎日変化するものであり、第２のゴルフコースデータＢとして分類されている。残りのデータ（ｇ）および（ｈ）は時々刻々と変化するものであり、第３のゴルフコースデータＣとして分類されている。
【００２５】
第１のゴルフコースデータＡは変更があったときに入力部２４を介して入力され、制御部２７の制御の下で、編集・更新部２６によって変更データによってデータベース２１における当該第１のゴルフコースデータＡの登録部が更新される。これに対して、第２のゴルフコースデータＢは本例では、毎日、入力部２４からデータが入力され、当該第２のゴルフコースデータＢの登録部が更新される。第３のゴルフコースデータＣは、時々刻々変換するものなので、その都度、入力されて、当該第３のゴルフコースデータＣの登録部が更新され、常に最新のデータが保持される。
【００２６】
次に、各ＰＤＡ３は、データ提供装置２との間で通信を行うデータ通信部３１と、記憶部３２と、ＧＰＳ４を利用して当該ＰＤＡ３の位置を検出する位置検出部３３と、操作部３４と、液晶表示器３５と、各部分の駆動を制御する制御部３６を備えている。記憶部３２には、上記の第１のゴルフコースデータＡが記憶保持されている第１の記憶領域３２Ａと、上記の第２のゴルフコースデータＢが記憶保持される第２の記憶領域３２Ｂとが含まれている。
【００２７】
第１のゴルフコースデータＡは予め記憶領域３２Ａに記憶保持されており、第１のゴルフコースデータＡが更新されたときのみ、当該記憶領域３２Ａも更新される。これに対して、第２のゴルフコースデータＢは、例えば毎朝、データ提供装置２の側から通信部およびデータ通信部３１を介してダウンロードして、第２の記憶領域３２Ｂに記憶保持する。ダウンロードの形態としてはＵＳＢなどを利用してもよいし、無線通信により行うことも可能である。なお、第３のゴルフコースデータＣは、操作部３４からダウンロード要求を入力すると、当該ＰＤＡ３がデータ提供装置２にアクセスして無線通信により当該データをダウンロード可能となっている。
【００２８】
ＰＤＡ３の制御部３６は、各種のゴルフコースデータを、位置検出部によって検出された当該ＰＤＡ３の位置データと共に液晶表示器３５の画面上に、各種の形態で表示させることができる。
【００２９】
例えば、本例においては、ＰＤＡ３のテンキー「１」〜「６」の操作により、上記の各データ（ａ）〜（ｆ）のそれぞれを液晶表示器３５の画面上に表示できる。また、テンキー「７」の操作により、グリーン上におけるアプローチ情報を液晶表示器３５の画面上に表示できる。さらに、例えば、テンキー「８」を操作すると、ＰＤＡ３がデータ提供装置２にアクセスして第３のゴルフコースデータである（ｇ）および（ｈ）をそれぞれダウンロード可能となっている。
【００３０】
なお、テンキーの操作により、各データのそれぞれを液晶表示器３５の画面上に表示しているが、指を画面上に押し当てて操作するタッチパネル方式を用いて操作する手段としても良い。
【００３１】
（動作の説明）
上記構成のゴルフコースデータ提供システム１におけるＰＤＡ３の表示動作を纏めて説明する。
【００３２】
前述のように、データ提供装置２のデータベース２１における日単位で変動する第２のゴルフコースデータ（ｅ）および（ｆ）は毎朝更新される。各ＰＤＡ３には毎朝、ＵＳＢなどを介して更新された最新の第２のゴルフコースデータ（ｇ）および（ｈ）がダウンロードされ、ダウンロードされた最新の第２のゴルフコースデータＢが第２の記憶領域３２Ｂに記憶保持される。
【００３３】
このように第２のゴルフコースデータＢが更新された後のＰＤＡ３がプレーを開始する各ゴルフプレーヤに貸し出される。ＰＤＡ３の電源をオンにして、例えばテンキー「０」を押すと、図２（ａ）に示す画像データＤ０がＰＤＡ３の液晶表示器３５の表示画面３５ａに表示される。図２（ａ）に示すように、この表示画像Ｄ０は、上記の（ａ）〜（ｆ）のデータＡ、Ｂが画像表示される。すなわち、ティーアップ位置５１およびグリーン位置５２を含むホールのコース全体図６１と、バンカー位置６２と、ピン穴位置６３と、池のあるコースの場合にはその池位置６４と、ＯＢがある場合にはそのＯＢライン６５がそれぞれ画像表示される。これと共に、ＰＤＡ３の位置、換言すると当該ＰＤＡ３を所持しているプレーヤの位置６７が点滅表示される。
【００３４】
この後に、ＰＤＡ３のテンキー「１」〜「６」のいずれかを押すと、操作されたテンキーに対応する画像データが生成され、ＰＤＡ３の画面表示が、それぞれ、ティーアップ位置５１およびグリーン位置５２を含むホールのコース全体図６１の輪郭のみが点滅する表示画像、バンカー位置６２のみが点滅する表示画像、ピン穴位置６３のみが点滅する表示画像、池のあるコースの場合にはその池位置６４のみが点滅する表示画像、ＯＢがある場合にはそのＯＢライン６５のみが点滅する表示画像および、ティーアップ位置５１のみが点滅する表示画像に切り替わる。
【００３５】
また、プレーヤがグリーン上にいる場合には、テンキー「７」を操作すると、グリーン上におけるアプローチ情報がＰＤＡ３の液晶表示器３５に、例えば、図２（ｂ）に示すような表示画像Ｄ７によって表示される。この表示画像Ｄ７では、ＰＤＡ３の位置にゴルフボール７１が表示され、ピン７２およびピン穴７３が表示され、さらに、ゴルフボール７１からピン穴７２までの距離ｘが表示される。これに加えて、ゴルフボール７１からピン穴７２までのアプローチライン（フックライン、スライスライン）が線画７４で表示される。
【００３６】
さらに、同一のテンキー「１」〜「７」のいずれかが繰り返し押されると、本例では、拡大表示モードに切り替わり、各表示画像が拡大表示される。例えば、テンキー「３」を２回連続して押すと、図２（ｃ）に示すような拡大表示画像が表示される。本例の拡大表示画像Ｄ３Ａでは、ゴルフボール７１からピン穴７３までの距離ｘと、ゴルフボール７１からピン穴７３までの方向とゴルフボール７１からグリーンに隣接しているバンカー６２までの方向との間のなす角度ｙが表示される。
【００３７】
なお、各表示画像の表示形態、および、各画像の拡大表示画像としては各種の形態のものが考えられる。また、拡大表示モードへの移行のための操作キーはテンキーを２回連続して操作する代わりに、ファンクションキーを割り当てるようにしてもよく、また、操作キーとしてテンキーの代わりに各表示画像の表示形態に指を押し当てて各画像の拡大表示画像とするタッチパネル方式を用いても良い。さらに、拡大表示モードから通常の表示モードへの復帰もテンキーの連続操作あるいはファンクションキーの操作により行うことができる。ＰＤＡ３の操作部３４のオフキーＯＦＦが操作されると表示動作が終了する。
【００３８】
次に、オン状態においてテンキー「８」を操作すると、ＰＤＡ３はデータ提供装置２にアクセスして、第３のゴルフコースデータＣをダウンロードして記憶部３２に保持する。この後に、テンキー「０」を操作すると、図２（ａ）に示すように、風向きが矢印６６で表示された画像が表示される。風向きデータを取り込んだ後に各テンキー「１」〜「６」を操作した場合には、例えば、図２（ｃ）に示すように、風向きを現す矢印６６も表示可能になる。
【００３９】
また、第３のゴルフコースデータＣを取り込んだ後にテンキー「９」を操作すると、落雷警報などの気象情報が画面に表示される。
【００４０】
第３のゴルフコースデータＣは、テンキー「８」を操作してデータ提供装置２にアクセスする毎に最新データに更新される。
【００４１】
【発明の効果】
以上説明したように、本発明によるゴルフコースデータ提供システムによれば、ＰＤＡを所持しているゴルフプレーヤによる実際のプレー位置からピンへのアプローチ情報を、リアルタイムで、しかも正確に提供することが可能になる。
【００４２】
また、日単位で変動することのないデータは予めＰＤＡに登録され、日単位で変動するデータはＰＤＡの貸し出し前にダウンロードされ、時々刻々変動するデータはプレー中に無線通信によりダウンロードできる。よって、データの種類に応じて効率良くデータ更新を行うことができ、通信速度を高めることなく最新データを表示可能である。
【図面の簡単な説明】
【図１】本発明を適用したゴルフコースデータ提供システムの全体構成を示す概略ブロック図である。
【図２】（ａ）〜（ｃ）は、図１のシステムにおけるＰＤＡの表示画面例を示す説明図である。
【符号の説明】
１　　ゴルフコースデータ提供システム
２　　データ提供装置
３　　ＰＤＡ
４　　ＧＰＳ
２１　データベース
２２　管理サーバ
２３　通信部
２４　入力部
２５　出力部
２６　編集・更新部
２７　制御部
３１　通信部
３２　記憶部
３２Ａ、３２Ｂ　記憶領域
３３　位置検出部
３４　操作部
３５　液晶表示器
３６　制御部
Ａ　第１のゴルフコースデータ
Ｂ　第２のゴルフコースデータ
Ｃ　第３のゴルフコースデータ
【図１】
2004113440.tif 000003
【図２】
2004113440.tif 000004